(57)【要約】【課題】携帯電話端末のインカメラとアウトカメラのような複数の撮像部を備えた場合の、その２つ撮像部の切換えが簡単にできるようにする。【解決手段】撮影者の顔を撮像するインカメラ２０３と、アウトカメラ２０１とを備える。インカメラ２０３の撮像から撮影者の視線方向を検出し、その視線方向が、アウトカメラで撮像中の被写体にあるときはアウトカメラ２０１の画像を選択し、視線方向が画面側にあるときにはインカメラ２０３の画像を選択する。【選択図】図１
2010161655.tif 000002
【特許請求の範囲】
【請求項１】
装置本体の一方の面を向いた撮像レンズが配置された第一撮像部と、
前記第一撮像撮像部の撮像レンズ配置面とは反対側の他方の面に撮像レンズが配置された第二撮像部と、
前記一方の面に配置され、前記第一及び第二撮増部で撮像して得た画像を表示する表示部と、
前記第一撮像部で撮像して得た画像から顔を検出すると共に、その検出した顔の視線方向を検出する視線方向検出部と、
前記視線方向検出部が検出した視線方向が、前記表示部に表示されている画像を向いた方向にあるときは、前記第一撮像部で撮像して得た画像データを選択して出力し、前記視線方向検出部が検出した視線方向が前記表示部に表示されている画像を向いた方向にないときは、前記第二撮像部で撮像して得た画像データを選択して出力する制御部と
を備えた撮像装置。
【請求項２】
前記制御部は、前記第二撮像部で撮像して得た画像データを選択している状態で、前記視線検出部が検出した視線の方向に対応して、前記第二撮像部が撮像して出力する画像データによる撮像の範囲を可変設定する
請求項１の撮像装置。
【請求項３】
前記制御部の制御により選択された画像データを外部に送信する通信部を備えた
請求項２の撮像装置。
【請求項４】
前記制御部により選択された画像データによる画像と、前記制御部により選択されていない画像データによる画像とを合成した画像データとして、前記合成された画像データを前記通信部から送信し、
前記制御部での選択に基づいて、前記合成された画像データによる２つの画像の合成状態を切換える
請求項３の撮像装置。
【請求項５】
前記制御部は、前記視線方向検出部で検出される視線方向が前記表示部の下方向である場合には、前記第一撮像部で撮像して得た画像データを選択して出力する
請求項１の撮像装置。
【請求項６】
装置本体の表示部が配置された面と同じ一方の面に撮像レンズを配置して撮像を行う第一撮像処理と、
前記表示部が配置された面とは反対側の他方の面に撮像レンズを配置して撮像を行う第二撮像処理と、
前記第一撮像処理で得た画像から顔を検出すると共に、その検出した顔の視線方向を検出する視線方向検出処理と、
前記視線方向検出処理で検出した視線方向が、前記表示部に表示されている画像を向いた方向にあるときは、前記第一撮像処理で撮像して得た画像データを選択して出力し、前記視線方向検出処理で検出した視線方向が前記表示部に表示されている画像を向いた方向にないときは、前記第二撮像処理で撮像して得た画像データを選択して出力する画像洗濯処理とを行う
撮像方法。
【発明の詳細な説明】
【技術分野】
【０００１】
本発明は、例えばカメラ機能付き携帯電話端末に適用して好適な、撮像装置及び撮像方法に関し、特に、それぞれ撮像する方向が相互に反対の２つの撮像部を備えた装置に適用される技術に関する。
【背景技術】
【０００２】
現在のカメラ付き携帯電話端末は、一般のデジタルカメラと同程度の画素数を有する撮像素子やＡＦ（Auto-Focus）機構、高精細なＬＣＤ（Liquid Crystal Display）パネル等を組み込むことで、画質と表示品質の向上が図られている。
【０００３】
また、カメラ付き携帯電話端末の中には、２つのカメラを備えたものがある。即ち、筐体背面に設けられて被写体の撮影に用いられるカメラ（以下アウトカメラと称する）の他、筐体前面に設けられて撮影者自身の撮影（以下、セルフ撮影と称する）を行なうカメラ（以下インカメラと称する）を備えているものがある。このインカメラを備えた携帯電話端末では、インカメラで撮像して得た画像データを音声データと共に通話相手に伝送して通話を行なう、いわゆるテレビ電話機能が可能となっている。
【０００４】
特許文献１には、カメラ付き携帯電話端末の一例についての記載がある。この引用文献１に記載には、カメラ付き携帯電話端末に視線検出機能を設けて、フォーカス合わせを行う箇所を、視線検出に基づいて行う構成についての記載がある。
【先行技術文献】
【特許文献】
【０００５】
【特許文献１】特開２００８−３２８２８号公報
【発明の概要】
【発明が解決しようとする課題】
【０００６】
ところで、インカメラとアウトカメラを備えたカメラ付き携帯電話端末においては、インカメラとアウトカメラの切換えが簡単にはできない問題があった。即ち、例えば表示パネル上に、カメラ機能に関するメニュー画面を表示させて、そのメニュー画面に基づいた操作で、インカメラでの撮像と、アウトカメラでの撮像を切換える操作が必要である。ところが、上述したテレビ電話機能などを実行中に、このようなメニュー画面などの操作でカメラを切換えるのは手間がかかり、カメラ付き携帯電話端末を使用中のユーザが意図する切換えを迅速に行うのは困難であった。
【０００７】
本発明は、かかる点に鑑み、２つの撮像部を備えた場合の切換えがユーザが意図した状態に簡単に行えるようにすることを目的とする。
【課題を解決するための手段】
【０００８】
本発明は、装置本体の表示部が配置された面と同じ一方の面に撮像レンズが配置された第一撮像部と、表示部が配置された面とは反対側の他方の面に撮像レンズが配置された第二撮像部とを備えた装置に適用される。
そして、第一撮像部で得た画像から顔を検出すると共に、その検出した顔の視線方向を検出する処理を行う。検出した視線方向が、表示部に表示されている画像を向いた方向にあるときは、第一撮像部で撮像して得た画像データを選択して出力する。また、検出した視線方向が表示部に表示されている画像を向いた方向にないときは、第二撮像部で撮像して得た画像データを選択して出力する。
【０００９】
本発明によると、ユーザの視線が、装置本体の表示部を向いているときには、その表示部が配置された側で撮像を行う第一撮像部で撮像した画像データが出力される。また、ユーザの視線が、装置本体の表示部以外を向いているときには、その表示部が配置された側とは反対側で撮像を行う第二撮像部で撮像した画像データが出力される。従って、ユーザの視線により、出力画像の切換えが行える。
【発明の効果】
【００１０】
本発明によると、撮影者が視点を変更するだけで、２つの撮像部で撮像して出力される画像データを切換えることが可能になる。即ち、撮影者が視線を変えるだけで、撮影者が写った第一撮像部による画像が出力される状態と、撮影者の位置とは反対側の第二撮像部による画像が出力される状態とが切換えできる。従って、複雑な操作を全くすることなく、必要な撮像部の出力画像に迅速に切換えることができる。
かかる本発明の処理を例えばテレビ電話機能に適用することで、相手に伝送する画像の切り替えが、操作者の視線だけで簡単かつ迅速に行えるようになる。具体的には、撮影者が表示部の画面を注視していることで、第一撮像部による自らが写った画像が選択されて相手に伝送されるようになる。そして、撮影者が表示部の画面以外を注視するようになると、第一撮像部とは反対側を撮像する第二撮像部で、撮影者の手前側を撮像した画像が選択されて、相手に伝送されるようになる。
【図面の簡単な説明】
【００１１】
【図１】本発明の一実施の形態の例に係る原理図である。
【図２】本発明の一実施の形態の例に係る構成図である。
【図３】本発明の一実施の形態の例に係る内部構成例を示すブロック図である。
【図４】本発明の一実施の形態の例に係る視線認識パターンの一例を示す説明図である。
【図５】本発明の一実施の形態の例に係るフローチャートである。
【図６】本発明の一実施の形態の例に係る送信される画像例を示す説明図である。
【図７】本発明の一実施の形態の例に係る他の使用例を示す説明図である。
【発明を実施するための形態】
【００１２】
以下、本発明の実施の形態について、以下の順序で説明する。
１．端末の形状の例：図２
２．端末の内部構成例：図３
３．視線検出処理状態の例：図４
４．２つのカメラの出力処理例：図１及び図５
５．表示画面の例：図６
６．使用例（一実施の形態及び変形例）：図７
７．変形例
【００１３】
［１．端末の形状の例］
一実施の形態の例を図１〜６を参照して説明する。本実施の形態においては、携帯電話端末に適用した例である。本実施の形態においては、携帯電話端末の装置本体を構成する筐体に、２つの撮像部を内蔵させたものに適用してある。２つの撮像部は、それぞれ撮像する方向が相互に逆の方向としてあり、一方の撮像部をインカメラと称し、他方の撮像部をアウトカメラと称する。
【００１４】
まず、図２を参照して本実施の形態の携帯電話端末１００の外形形状の例を説明する。本実施の形態の例の場合には、いわゆるストレート型の携帯電話端末として筐体を構成してある。
図２（ａ）は、携帯電話端末１００の装置本体を構成する筐体１１０の表面１１１側を示し、図２（ｂ）は、筐体１１０の裏面側を示す。
図２（ａ）に示すように、筐体１１０の表面１１１には、後述する表示部１０７を構成する表示パネル１０７ａや、複数の操作キーなどが配置してある。また、筐体１１０の表面１１１には、インカメラ２０３の撮像レンズ２０３ａが配置してあり、インカメラ２０３が表面１１１と向き合った被写体を撮像する。
図２（ｂ）に示すように、筐体１１０の裏面１１２には、アウトカメラ２０１の撮像レンズ２０１ａが配置してあり、アウトカメラ２０１が裏面と向き合った被写体を撮像する。
【００１５】
アウトカメラ２０１及びインカメラ２０３は、それぞれＣＣＤイメージャなどの固体撮像素子と、その撮像素子の出力を処理する撮像処理回路とで構成される撮像部である。インカメラ２０３が備える撮像レンズ２０３ａについては、ユーザが携帯電話端末１００を手などで持った状態で、少なくともそのユーザの顔が写る程度の画角のレンズとしてある。アウトカメラ２０１が備える撮像レンズ２０１ａについては、例えば広角レンズとして、比較的広い範囲の撮像が行えるレンズとしてある。撮像レンズ２０１ａとして、ズームレンズを使用してもよい。あるいは、アウトカメラ２０１の撮像レンズ２０１ａについては、撮像する方向（範囲）を可変できるレンズとしてもよい。
【００１６】
［２．端末の内部構成例］
図３は、本実施の形態の例である携帯電話１００の内部構成例を示すブロック図である。
携帯電話端末１００は、マイクロプロセッサ等よりなる制御部１２０を備え、制御部１２０は、制御信号が伝送される制御ライン１５０又はデータが伝送されるデータライン１６０を介して、携帯電話端末１００内の各部と接続されている。そして、制御部１２０はこれらのラインを通して各部と通信を行い、各部の動作制御を行う。
【００１７】
制御ライン１５０には、通信回路１０２と、表示部１０７と、操作部１０６と、メモリ１０５とが接続されている。
【００１８】
通信回路１０２にはアンテナ１０１が接続してあり、通信回路１０２は、アンテナ１０１で得られた電波を復調して音声信号や映像信号を取り出す。また、データライン１６０を介して入力された音声信号を音声出力するスピーカ１０４及び周囲の音声を拾って音声信号に変換するマイクロフォン１０３から伝送された音声信号や制御部１２０で制御された映像信号を、電波に変換してアンテナ１０１に出力する処理を行う。
【００１９】
表示部１０７は、液晶パネル等の画像表示手段で構成される表示パネルと、その表示パネルの駆動部とで構成され、着信した電話の電話番号や、アンテナ１０１を通して送受信される電子メールの文章等や、アウトカメラ２０１やインカメラ２０３からの撮像が表示される。操作部１０６は、数字などのダイヤルキーやその他の各種機能キーで構成される。そしてそれらのキーがユーザ３００に押下された場合に、操作内容に応じた操作信号を生成して制御部１２０に供給する。
【００２０】
メモリ１０５は、ＲＯＭ（Read Only Memory）やＲＡＭ（Random Access Memory）で構成され、メモリ１０５には、携帯電話端末１００の制御に必要なソフトウェア等や目や瞳の認識に関するデータベースが格納されている。また、メモリ１０５には、制御部１２０で制御が行われる際に一時的に発生するデータ等も格納される。さらに、メモリ１０５には、インカメラ２０１やアウトカメラ２０３が撮像して得られた画像データを記憶する領域も備える。この記憶される画像データとしては、静止画像データである場合と、動画像データである場合とがある。
【００２１】
インカメラ２０３と、アウトカメラ２０１は、撮像制御部２０２が接続してある。インカメラ２０３及びアウトカメラ２０１でそれぞれ撮像して得られた画像データは、撮像制御部２０２に供給し、いずれか一方のカメラ２０１又は２０３の画像データを選択して、その選択された画像データを出力する。アウトカメラ２０３としてズームレンズなどを備えて、撮像する画角の調整が可能である場合には、撮像制御部２０２によりその画角調整が制御される。また、撮像して得た画像データで示される画像の一部を切り出す処理などの各種画像処理についても、撮像制御部２０２で実行される。また、後述するように、２つのカメラ２０１，２０３で撮像して得られた画像データを合成して出力させる場合もある。この場合の画像データの合成処理についても、例えは撮像制御部２０２で実行される。なお、撮像制御部２０２で選択しない方のカメラ２０１又は２０３については、撮像動作を停止させてもよい。
【００２２】
撮像制御部２０２が出力した画像データは、この画像データを必要とする処理に供給する。例えば、カメラ撮影のアプリケーションが起動されている場合には、撮像制御部２０２から出力される画像データを、表示部１０７に供給して表示させると共に、記憶させるタイミングの画像データをメモリ１０５に供給して記憶させる。
また、例えばテレビ電話のアプリケーションが起動されている場合には、撮像制御部２０２から出力される画像データを、通信回路１０２に供給して、通話相手の端末側に伝送させると共に、表示部１０７に供給して表示させる。
【００２３】
また、撮像制御部２０２は、インカメラ２０３で撮像して得た画像データを、必要により制御部１２０にも伝送する構成としてある。制御部１２０では、所定の動作モードが設定されているときに、供給された画像データから、被写体に人物の顔が存在していることの検出処理と、その検出した顔の中の目の画像解析から、被写体の人物の視線を検出する処理を行う。
制御部１２０でこの視線検出処理を行うと、その結果が撮像制御部２０２に送られ、撮像制御部２０２では、画像データの選択や、画像の合成状態の選択などが行われる。この選択処理などの詳細については後述する（図５のフローチャート）。
【００２４】
［３．視線検出処理状態の例］
次に、図４を参照して、制御部１２０でインカメラ２０３で撮像して得た画像データから視線検出を行う処理の例について説明する。
視線検出を行う前提として、画像から顔を検出する構成としてあり、その顔が検出された場合に、顔の左右の眼の位置を、制御部１２０が画像認識処理で検出する。さらに、その画像認識処理で検出した眼の中の瞳（黒目）の位置に基づいて、視線検出を行う。
具体的には、例えば図４に示すように、眼の中心に瞳がある状態ｅ１０が画像認識で検出された場合、視線が中心方向であるとする。また図４に示すように、眼の左側に瞳がある状態ｅ１１が画像認識で検出された場合、視線が左方向であるとする。また図４に示すように、眼の右側に瞳がある状態ｅ１２が画像認識で検出された場合、視線が右方向であるとする。さらに図４に示すように、眼の上側に瞳がある状態ｅ１３が画像認識で検出された場合、視線が上方向であるとする。さらにまた図４に示すように、眼の下側に瞳がある状態ｅ１４が画像認識で検出された場合、視線が下方向であるとする。
【００２５】
本実施の形態においては、これらの視線方向の検出に基づいて、被写体であるユーザが、何を見ているのかを判断する。検出した視線方向から、その視線方向にあるものの判断処理としては、ここでは、インカメラ２０３で撮像して得た画像のほぼ中心に、正面を向いた顔があると仮定して行う。即ち、眼のほぼ中心に瞳がある状態（図４の状態ｅ１０など）のときには、ユーザが表示パネル１０７ａを見ているとする。
また、眼の中心から外れた左右及び上の位置に瞳がある状態（図４の状態ｅ１１，ｅ１２，ｅ１３など）のときには、ユーザが端末以外を見ているとする。
さらに、眼の中心から外れた下の位置に瞳がある状態（図４の状態ｅ１４など）のときには、ユーザが端末１００の表示パネル１０７ａの下側に配置された操作キー（図２参照）を見ているとする。
具体的に視線方向と端末１００との位置関係を図２（ａ）に示すと、例えば、瞳がほぼ中心の視線方向ｅ１が検出された場合に、表示パネル１０７ａ側に向かう視線方向であると判断する。また、瞳がほぼ下側の視線方向ｅ２が検出された場合に、端末１００の下側の操作キーなどを見ている視線方向であると判断する。さらに、この視線方向ｅ１，ｅ２以外の視線方向ｅ３である場合には、そのときの視線方向の向きの端末外を見ていると判断する。
これらの制御部１２０での視線方向の検出結果は、撮像制御部２０２に送られ、撮像制御部２０２では、画像データの選択や、画像の合成状態の選択などが行われる。
【００２６】
［４．２つのカメラの出力処理例］
次に、図５のフローチャートを参照して、携帯電話端末１００が備えるインカメラ２０３とアウトカメラ２０１での撮像時の処理例について説明する。この図５のフローチャートは、インカメラ２０３とアウトカメラ２０１の双方を使った撮像を行い、２つのカメラ２０１，２０３の切換えを、ユーザの視線により自動的に切換えるモードを設定した場合の処理例である。この図５のフローチャートの例は、テレビ電話で相手に画像データを音声データと共に伝送させる場合の例である。
この例では、例えば図１に示すように、携帯電話端末１００のインカメラ２０３に向かってユーザ３００がいる状態であり、アウトカメラ２０１で撮像する範囲内に、相手に伝送させたい画像が表示された比較的大型のスクリーン４００がある状況とする。携帯電話端末１００は、例えばスタンド５００に載せて、直立した状態に載置させてある。
【００２７】
図５のフローチャートの処理は、制御部１２０及び撮像制御部１２０での制御により実行される。図５のフローチャートに従って説明すると、まず、ユーザが相手にアウトカメラ２０１で撮像しているスクリーン４００を携帯電話端末１００の表示パネル１０７ａに表示させる（ステップＳ１）。この例では、図１に示したスクリーン４００中の一部の領域４１０をアウトカメラ２０１で撮像させるように設定して、その撮像して得た画像を表示パネル１０７ａに表示させる。
【００２８】
この状態で、インカメラ２０３で撮像された画像データから、ユーザ３００の視線方向が検出されたか否か判断する（ステップＳ２）。この判断で、視線が検出されない場合には、検出がされるまで待機する。
【００２９】
そして、ステップＳ２で視線が検出されると、その検出された視線方向が、携帯電話端末１００の表示パネル１０７ａが存在する方向か否か判断する（ステップＳ３）。視線方向が、携帯電話端末１００の表示パネル１０７ａが存在する方向であると判断した場合には、インカメラ２０３の出力画像を選択して、通信回路１０２に送り、相手の端末に送信させる（ステップＳ９）。
ステップＳ３で、視線方向が、携帯電話端末１００の表示パネル１０７ａ側でないと判断した場合には、視線方向が端末１００の下側であるか否か判断する（ステップＳ４）。ここで端末１００の下側であると判断した場合には、携帯電話端末１００の操作キーなどを見ていると判断して、ステップＳ９に移り、インカメラ２０３の出力画像を選択して、通信回路１０２に送り、相手の端末に送信させる。
【００３０】
ステップＳ４で、視線方向が端末１００の下側でもないと判断した場合には、現在の視線方向が、アウトカメラ２０１が備える撮像レンズで撮像可能な範囲内か否か判断する（ステップＳ５）。ここで、アウトカメラ２０１が備える撮像レンズで撮像可能な範囲内でない場合には、ステップＳ９に移り、インカメラ２０３の出力画像を選択して、通信回路１０２に送り、相手の端末に送信させる。
【００３１】
ステップＳ５で、視線方向がアウトカメラ２０１で撮像可能な範囲であると判断した場合には、その判断した位置を特定する（ステップＳ６）。そして、アウトカメラ２０１で撮像する範囲の中心を、検出した視線方向に設定し、該当する視線方向の物体にフォーカスを合わせる（ステップＳ７）。アウトカメラ２０１の撮像レンズが固定されたレンズである場合には、撮像して得た画像の一部を切り出した画像データとして、該当する視線方向の画像データを得るようにしてもよい。撮像レンズに可動機構が設けられている場合には、その可動機構により該当する方向を撮像するようにしてもよい。
【００３２】
そして、アウトカメラ２０１で得られた画像データ（必要により切り出された画像データ）を撮像制御部２０２で選択して、通信回路１０２に送り、相手の端末に送信させる（ステップＳ８）。
【００３３】
そして、制御部１２０は、インカメラ２０３で毎フレームの画像データが撮像されて供給される毎に、この図５のフローチャートに示した処理を繰返して実行する。
【００３４】
［５．表示画面の例］
図５のフローチャートでは、テレビ電話時に相手に伝送する画像データを、２つのカメラで撮像して得た２つの画像データの間で切換える処理としたが、伝送する画像として、２つのカメラで撮像して得た画像データを合成した画像データとしてもよい。
図６は、この場合の例を示した図である。
検出した視線方向が表示パネルなどの端末側にある場合には、図６（ａ）に示すように、インカメラ２０３で撮像されたインカメラ映像１１をメイン画面として大きく表示させる。そして、アウトカメラ２０１で撮像されたアウトカメラ映像１２をサブ画面として、左上などに小さく表示させる。
【００３５】
また、検出した視線方向が端末以外にある場合には、図６（ｂ）に示すように、アウトカメラ２０１で撮像されたアウトカメラ映像２１をメイン画面として大きく表示させる。そして、インカメラ２０３で撮像されたインカメラ映像２２をサブ画面として、左上などに小さく表示させる。
【００３６】
この図６の例では、いわゆるＰｉｎＰ（Picture In Picture）処理として、メイン映像中にサブ映像を表示させる処理であるが、２つの映像を並べて、そのサイズを変化させるようにしてもよい。
【００３７】
［６．使用例］
次に、本実施の形態の携帯電話端末の使用例を、変形例の場合の使用例も含めて図７に示す。
図７（ａ）に示した使用例１は、図１，図２などに示した、いわゆるストレート型の携帯電話端末１００を使用した場合の例である。
この例では、携帯電話端末１００を、テーブル６００上のスタンド５００に直立させて、ユーザ３００がインカメラ２０３を向いて、アウトカメラ２０１がスクリーン４００（又は相手に見せたい景色）を撮像している状態である。
【００３８】
図７（ｂ）に示した使用例２は、折り畳み式携帯電話端末１００′を使用した場合の例である。
この例では、携帯電話端末１００′を、テーブル６００上に開いた状態で置いて、ユーザ３００がインカメラ２０３を向いて、アウトカメラ２０１がスクリーン４００（又は相手に見せたい景色）を撮像している状態である。
【００３９】
なお、図７（ｂ）に示すように、折り畳み式携帯電話端末１００′の代りに、ディスプレイ部を折り畳むことが可能なノート型のパーソナルコンピュータ装置９００を用意してもよい。この場合、パーソナルコンピュータ装置９００のディスプレイ部の先端の外側にアウトカメラ９０１を配置し、内側にインカメラ９０３を配置する。アウトカメラ９０１やインカメラ９０３は、パーソナルコンピュータ装置９００本体とは別体でもよい。
【００４０】
図７（ｃ）は、いわゆるスライド式携帯電話端末１００″を使用した例である。
この例では、携帯電話端末１００″を、テーブル６００上のスタンド５００′に直立させて、ユーザ３００がインカメラ２０３を向いて、アウトカメラ２０１がスクリーン４００（又は相手に見せたい景色）を撮像している状態である。
【００４１】
図７（ａ）〜（ｃ）のいずれの例の場合も、ユーザ３００は、視線によって、相手に伝送させる画像を、インカメラとアウトカメラとの間で切換えることができる。また、アウトカメラが選択されている状態では、そのアウトカメラで撮像される範囲（又は切り出される範囲）が、視線により制御可能である。
【００４２】
このようにして、本実施の形態によると、ユーザの視線移動で、インカメラとアウトカメラの２つの撮像部の出力を切換えることができ、非常に簡単に出力画像の切換えができる。また、アウトカメラの画像が選択された際には、視線方向によって、撮像する範囲が変化し、ユーザが見ている方向の画像を、相手に送ることができる。
【００４３】
例えば、本実施の形態で説明したテレビ電話を、テレビ会議に適用することで、テレビ会議を円滑に行うこともできる。即ち、テレビ会議などの電子会議でスクリーン４００に資料を投影して説明している場合に、ユーザ３００がスクリーン４００を説明しているのに合わせて、送信先の映像はスクリーン４００上の説明者が注視している部分とすることができる。また、ユーザ３００が下側を見ているときには、ユーザ３００自身の画像を、送信させることができる。なお、ユーザ３００が下側を見ている状況として、上述した実施の形態では、操作キーなどを見ている状況を想定した。これに対して、手元にある資料を見ているときについても、下側の方向の視線を検出した状態であるとして、視線の先の画像を相手に送る必要がない状況であるとして、ユーザ３００自身の画像を送信させるようにしてもよい。
【００４４】
つまり、ユーザによる機器の操作の手間を省き、ユーザの視線の注視先を常に表示されているので、他の会議参加者はどこを説明しているかが即座に判断することができるために、会議の進行の円滑化を図るという効果が有している。
【００４５】
［７．変形例］
なお、上述した実施の形態では、携帯電話端末に内蔵された２つのカメラの切換えを、テレビ電話時に行うようにしたが、その他の機能の実行時にも行うようにしてもよい。即ち、２つのカメラで撮像して得た画像データを端末内に記憶させるカメラとしての動作モード時にも、メモリ１０５に記憶させる画像データを、視線によりインカメラとアウトカメラのいずれか一方から選択するようにしてもよい。このカメラとして動作させる場合二適用する際には、携帯電話端末に内蔵されたカメラではなく、単体のカメラ装置に適用してもよい。
【００４６】
さらに、図７（ｂ）に示したパーソナルコンピュータ装置９００のように、２つの撮像部を備えたその他の電子機器に適用してもよい。
【符号の説明】
【００４７】
１００…携帯電話、１０１…アンテナ、１０２…通信回路、１０３…マイク、１０４…スピーカ、１０５…メモリ、１０６…操作部、１０７…表示部、１２０…制御部、１５０…制御ライン、１６０…データライン、２０１…アウトカメラ、２０２…撮像制御部、２０３…インカメラ、３００…ユーザ、４００…スクリーン、４１０…注視箇所、５００…スタンド
【図１】
2010161655.tif 000003
【図２】
2010161655.tif 000004
【図３】
2010161655.tif 000005
【図４】
2010161655.tif 000006
【図５】
2010161655.tif 000007
【図６】
2010161655.tif 000008
【図７】
2010161655.tif 000009